(57)【要約】【課題】  ストラップが装着されている部分であってもキャップを係合保持することを可能にする。【解決手段】  キャップ３０には切欠き部３２および薄肉部３３が形成されている。切欠き部３２および薄肉部３３によって、ストラップ４０の紐状部材４１をキャップ３０とペン本体１０との間からキャップ４０の外に導くための空間が形成される。このため、ペン本体１０のストラップ用穴１９にストラップ４０が取り付けられている状態でペン本体１０の他端部１０ｂにキャップ３０を挿入する場合であっても、ストラップ４０等の影響を少なくすることができるので、キャップ３０をペン本体１０の他端部１０ｂに十分深く挿入することができ、キャップ３０の係合保持をより確実に行うことができる。【選択図】  図５
2006256243.tif 000002
【特許請求の範囲】
【請求項１】
ペン先が一端部に位置するペン本体の他端部に、当該一端部のペン先を覆うためのキャップを係合させて保持するキャップ保持構造であって、
前記ペン本体の前記他端部に設けられ、ストラップの取り付けを可能とする取付け部と、
前記取付け部が前記ストラップに取り付けられた際に、前記他端部に保持された当該キャップと前記ペン本体との間から当該ストラップを外部に導くためのストラップ通し部と、
を含むキャップ保持構造。
【請求項２】
前記ストラップ通し部は、前記キャップの縁部を切り欠いて構成したことを特徴とする請求項１に記載のキャップ保持構造。
【請求項３】
前記ストラップ通し部は、前記キャップを薄肉にする傾斜部を当該キャップの内面に形成することにより構成したことを特徴とする請求項１に記載のキャップ保持構造。
【請求項４】
前記ストラップ通し部は、前記ペン本体に前記一端部と前記他端部とを結ぶ方向に延びる溝部を設けることにより構成したことを特徴とする請求項１に記載のキャップ保持構造。
【請求項５】
前記ペン本体は、データを情報処理手段に入力するための電子ペンの本体であることを特徴とする請求項１に記載のキャップ保持構造。
【請求項６】
ペン本体のペン先を覆うキャップがクリップを備え、当該キャップを当該ペン本体の他の部分で保持するキャップ保持構造であって、
前記ペン本体の前記他の部分にストラップを取り付けるための取付け部と、
前記キャップの、前記クリップの長手方向の位置に設けられ、前記取付け部に取り付けられたストラップを前記他の部分に保持された前記キャップと前記ペン本体との間から外部に導くためのストラップ通し部と、
を含むキャップ保持構造。
【請求項７】
前記ストラップ通し部は、前記キャップを切り欠いて構成した切欠き形状部を備え、当該切欠き形状部は、クリップで挟む部材を当該クリップへ案内する縁形状となるように切り欠かれたことを特徴とする請求項６に記載のキャップ保持構造。
【請求項８】
前記ペン本体は電子装置を備え、当該電子装置に対応する部品が前記キャップの内面に設けられ、
当該部品は、キャップの横断面における前記クリップの反対側に位置することを特徴とする請求項６に記載のキャップ保持構造。
【請求項９】
ペン先が一端部に位置するペン本体の他端部に、当該一端部のペン先を覆うためのキャップを係合させて保持するキャップ保持構造であって、
前記ペン本体の前記他端部に設けられ、ストラップの取り付けを可能とする取付け部と、
前記取付け部にストラップが取り付けられた際に、ユーザによる前記ペン本体の前記他端部へのキャップの挿入動作に連動して当該ストラップをガイドするガイド部と、
を含むキャップ保持構造。
【請求項１０】
キャップ本体と、
前記キャップ本体に設けられたクリップと、
前記キャップ本体の、前記クリップの長手方向の位置に設けられた切欠き部と、
前記キャップ本体の内面に設けられ、前記切欠き部に向かって当該キャップ本体の肉厚が薄くなるように形成された薄肉部と、
を含むキャップ。
【請求項１１】
前記キャップ本体の内面に設けられ、当該キャップ本体の横断面における前記クリップの反対側に位置するマグネットを更に含むことを特徴とする請求項１０に記載のキャップ。
【請求項１２】
データを情報処理手段に入力するための電子ペンであって、
一端部および他端部を有し、当該一端部にペン先が設けられ、当該他端部にストラップを取り付けるための取付け部が設けられたペン本体と、
前記ペン本体に対して着脱可能であり、当該ペン本体の前記一端部を覆うとともに、当該ペン本体の前記他端部と係合して保持されるキャップと、を含み、
前記取付け部に取り付けられたストラップを前記他端部に保持された前記キャップと前記ペン本体との間から外部に導くためのストラップ通し部を前記ペン本体および前記キャップの少なくともいずれか一方に設けたことを特徴とする電子ペン。
【請求項１３】
前記ペン本体は、前記電子ペンの状態を表示するインジケータ部を備え、
前記キャップは、前記ペン本体の前記他端部に係合保持される際の位置関係が規定される形状に形成され、
前記ストラップ通し部は、前記他端部と係合して保持されている前記キャップが前記インジケータ部を避けるように切り欠いて構成した切欠き形状部を備えていることを特徴とする請求項１２に記載の電子ペン。
【請求項１４】
前記キャップの内面に、ＯＮ／ＯＦＦを制御するためのマグネットが設けられ、当該キャップの外面にクリップが設けられ、
前記マグネットは、当該キャップの横断面における前記クリップの反対側に位置することを特徴とする請求項１２に記載の電子ペン。
【請求項１５】
一端部および他端部を有し、当該一端部にペン先が設けられたペン本体と、
前記ペン本体の前記一端部および前記他端部に保持が可能なキャップと、を含み、
前記キャップの縁部を切り欠いて切欠き部が形成されるとともに、当該切欠き部に向かって当該キャップの肉厚が薄くなるように薄肉部が形成されたことを特徴とするペン。
【請求項１６】
前記ペン本体は、ストラップの取り付けを可能とする取付け部を前記他端部に有することを特徴とする請求項１５に記載のペン。
【請求項１７】
ペン本体のペン先を覆うキャップを当該ペン本体の他の部分で保持するキャップ保持構造であって、
紐状部材を有するストラップを前記ペン本体の前記他の部分に取り付け可能とする取付け部を前記ペン本体に設け、
前記紐状部材に物体が設けられた前記ストラップが前記取付け部に取り付けられた際に、前記他の部分に保持された前記キャップと前記ペン本体との間から当該ストラップの前記紐状部材を通すとともに当該物体を外部に露出させるストラップ通し部を、前記キャップに設けたことを特徴とするキャップ保持構造。
【発明の詳細な説明】
【技術分野】
【０００１】
本発明は、ペンのキャップ保持構造に関するもので、例えば手書きした内容を検知してコンピュータ装置に送信する手書き入力のペン型入力装置に関するものである。
【背景技術】
【０００２】
近年、例えばコンピュータ装置に対する情報入力装置として、ペン型入力装置が注目されている。このペン型入力装置では、本来のペンとしての印字機能に加え、印字した内容や筆圧等を読み取る各種センサと、ペンで印字された内容をデジタル式に記録する電子デバイスとを備えたものが知られている（例えば、特許文献１参照）。また、この特許文献１では、電子ペン本体の内部に回路ボードが配置され、この回路ボードには磁場に反応するホール素子が設けられている。また、電子ペン本体の先端を差し込むキャップを設け、電子ペン本体が差し込まれた際のホール素子の位置に対応して、キャップには磁石が設けられている。そして、この特許文献１では、このホール素子と磁石とによるセンサユニットからの出力でキャップの装脱着を認識し、電子ペンの起動と起動解除にキャップの装脱着を利用している。
【０００３】
また、他の従来技術として、使用時以外の識別データの伝送を抑え、低消費電力で利用可能なペン型入力装置を提供するために、キャップが装着されているときに情報伝達手段による情報の伝達を禁止する技術が開示されている（例えば、特許文献２参照）。
【０００４】
【特許文献１】特表２００４−５２７８５３号公報
【特許文献２】特開２００３−１５０３０５号公報
【発明の開示】
【発明が解決しようとする課題】
【０００５】
このようなペン型入力装置で用紙に文字等を書くときには、ペン先を覆っているキャップをユーザが抜いて、そのキャップをペン尻部（ペン先とは反対側の端部）に挿入して係合保持することで、キャップを喪失しないようにしている。
ここで、ペン型入力装置には、首や手等にかけるための紐状部材を備えたストラップを装着できるものがある。このようなストラップがキャップ側に装着されている場合にはキャップをペン尻部に挿入するときには大きな問題にならない。しかしながら、ストラップがペン尻部に装着されている場合には、ペン尻部にキャップを挿入しようとしてもストラップに影響されてキャップをペン尻部へ十分に挿入することができない。したがって、キャップがペンから不用意に外れることで、キャップを無くしてしまう等の懸念がある。
ペン型入力装置には、ユーザが装置本体からキャップを外してペン先で文字等を書ける状態にすると電源がオンになり、キャップをペン先を隠すように装置本体に取り付けると、電源がオフになるように構成されているものがある。そのように構成されたペン型入力装置では、装置本体から外したキャップを無くすと、電源をオフにすることができなくなり、電源が著しく消耗する結果になってしまう。このため、キャップを喪失する事態は、ユーザにとっては好ましくない。また、装置本体に装着したストラップを、キャップ挿入時に外すことは、ユーザにとって面倒であり、使い勝手が悪くなってしまう。
【０００６】
本発明は、以上のような技術的課題を解決するためになされたものであり、その目的とするところは、ストラップが装着されている部分であってもキャップを係合保持することを可能にすることにある。
【課題を解決するための手段】
【０００７】
かかる目的のもと、本発明が適用されるキャップ保持構造は、ペン先が一端部に位置するペン本体の他端部に、一端部のペン先を覆うためのキャップを係合させて保持するキャップ保持構造であって、ペン本体の他端部に設けられ、ストラップの取り付けを可能とする取付け部と、取付け部がストラップに取り付けられた際に、他端部に保持されたキャップとペン本体との間からストラップを外部に導くためのストラップ通し部と、を含むものである。
ストラップ通し部は、キャップの縁部を切り欠いて構成したことを特徴とすることができる。また、ストラップ通し部は、キャップを薄肉にする傾斜部をキャップの内面に形成することにより構成したことを特徴とすることができる。また、ストラップ通し部は、ペン本体に一端部と他端部とを結ぶ方向に延びる溝部を設けることにより構成したことを特徴とすることができる。ペン本体は、データを情報処理手段に入力するための電子ペンの本体であることを特徴とすることができる。
【０００８】
他の観点から捉えると、本発明が適用されるキャップ保持構造は、ペン本体のペン先を覆うキャップがクリップを備え、キャップをペン本体の他の部分で保持するキャップ保持構造であって、ペン本体の他の部分にストラップを取り付けるための取付け部と、キャップの、クリップの長手方向の位置に設けられ、取付け部に取り付けられたストラップを他の部分に保持されたキャップとペン本体との間から外部に導くためのストラップ通し部と、を含むものである。
ストラップ通し部は、キャップを切り欠いて構成した切欠き形状部を備え、切欠き形状部は、クリップで挟む部材をクリップへ案内する縁形状となるように切り欠かれたことを特徴とすることができる。ペン本体は電子装置を備え、電子装置に対応する部品がキャップの内面に設けられ、部品は、キャップの横断面におけるクリップの反対側に位置することを特徴とすることができる。
【０００９】
さらに本発明を別の観点から捉えると、本発明が適用されるキャップ保持構造は、ペン先が一端部に位置するペン本体の他端部に、一端部のペン先を覆うためのキャップを係合させて保持するキャップ保持構造であって、ペン本体の他端部に設けられ、ストラップの取り付けを可能とする取付け部と、取付け部にストラップが取り付けられた際に、ユーザによるペン本体の他端部へのキャップの挿入動作に連動してストラップをガイドするガイド部と、を含むものである。
【００１０】
本発明を別の観点から捉えると、本発明をキャップに適用することもできる。すなわち、本発明が適用されるキャップは、キャップ本体と、キャップ本体に設けられたクリップと、キャップ本体の、クリップの長手方向の位置に設けられた切欠き部と、キャップ本体の内面に設けられ、切欠き部に向かってキャップ本体の肉厚が薄くなるように形成された薄肉部と、を含むものである。
キャップ本体の内面に設けられ、キャップ本体の横断面におけるクリップの反対側に位置するマグネットを更に含むことを特徴とすることができる。
【００１１】
また、本発明を別の観点から捉えると、本発明を電子ペンに適用することもできる。すなわち、本発明が適用される電子ペンは、データを情報処理手段に入力するための電子ペンであって、一端部および他端部を有し、一端部にペン先が設けられ、他端部にストラップを取り付けるための取付け部が設けられたペン本体と、ペン本体に対して着脱可能であり、ペン本体の一端部を覆うとともに、ペン本体の他端部と係合して保持されるキャップと、を含み、取付け部に取り付けられたストラップを他端部に保持されたキャップとペン本体との間から外部に導くためのストラップ通し部をペン本体およびキャップの少なくともいずれか一方に設けたことを特徴とするものである。
ペン本体は、電子ペンの状態を表示するインジケータ部を備え、キャップは、ペン本体の他端部に係合保持される際の位置関係が規定される形状に形成され、ストラップ通し部は、他端部と係合して保持されているキャップがインジケータ部を避けるように切り欠いて構成した切欠き形状部を備えていることを特徴とすることができる。また、キャップの内面に、ＯＮ／ＯＦＦを制御するためのマグネットが設けられ、キャップの外面にクリップが設けられ、マグネットは、キャップの横断面におけるクリップの反対側に位置することを特徴とすることができる。
【００１２】
さらに、本発明を別の観点から捉えると、本発明をペンに適用することもできる。すなわち、本発明が適用されるペンは、一端部および他端部を有し、一端部にペン先が設けられたペン本体と、ペン本体の一端部および他端部に保持が可能なキャップと、を含み、キャップの縁部を切り欠いて切欠き部が形成されるとともに、切欠き部に向かってキャップの肉厚が薄くなるように薄肉部が形成されたことを特徴とするものである。
ペン本体は、ストラップの取り付けを可能とする取付け部を他端部に有することを特徴とすることができる。
【００１３】
また、本発明を別の観点から捉えると、本発明が適用されるキャップ保持構造は、ペン本体のペン先を覆うキャップをペン本体の他の部分で保持するキャップ保持構造であって、紐状部材を有するストラップをペン本体の他の部分に取り付け可能とする取付け部をペン本体に設け、紐状部材に物体が設けられたストラップが取付け部に取り付けられた際に、他の部分に保持されたキャップとペン本体との間からストラップの紐状部材を通すとともに物体を外部に露出させるストラップ通し部を、キャップに設けたことを特徴とするものである。
【発明の効果】
【００１４】
本発明によれば、ストラップが装着されている部分であってもキャップを係合保持することが可能となる。
【発明を実施するための最良の形態】
【００１５】
以下、添付図面を参照して、本発明の実施の形態について詳細に説明する。
図１および図２は、本実施の形態に係るペン型入力装置の全体構成を示す斜視図であり、図１は、不使用状態を示し、図２は、使用状態を示す。また、図３は、キャップ３０の構造を説明するためのキャップ３０単体の縦断面図である。
図１および図２に示すペン型入力装置は、長手方向Ａにおける一端部１０ａおよび他端部（ペン尻部、他の部分）１０ｂを有し、可搬性電子機器の一つであるペン本体１０と、ペン本体１０用のキャップ３０とを備えている。
【００１６】
ペン本体１０は、一端部１０ａ側でキャップ３０を受け入れるための凹部１１ａ（図２参照）が形成された外装ケース１１を有する。また、ペン本体１０は、一端部１０ａから突出するペン先１２（図２参照）と、他端部１０ｂに設けられ、ストラップ４０（図１参照）を取り付けるためのストラップ用穴（取付け部）１９（図１参照）とを有する。なお、図１に示すように、ストラップ４０は紐状部材４１を有し、また、紐状部材４１に取り付けられた図示しないアクセサリとしての小物体を有する。
ペン本体１０は、中間部から両端部に行くに従ってゆるやかに縮径していく外形形状であり、ユーザが握ったときに手になじむように形成されている。そして、ペン本体１０には、インジケータ部２４が設けられている。このインジケータ部２４は、ＬＥＤ(Light Emitting Diode)や液晶パネル等を有し、例えばバッテリ残量表示等を表示する。
このように構成されたペン本体１０は、通常のボールペンと同様な筆記機能に加え、後述するように、筆記された内容を例えば光学的に読み取って記憶し、必要に応じて外部のコンピュータ装置と通信する電子機能を備えている。
【００１７】
キャップ３０は、ペン本体１０のペン先１２（図２参照）を覆うためのキャップ本体３１と、キャップ本体３１の縁部３１ａの一部を切り欠くことにより形成された切欠き部（切欠き形状部、ストラップ通し部）３２と、キャップ本体３１の外面３１ｃに取り付けられ、紙等を挟持するためのクリップ３４とを有する。切欠き部３２は、クリップ３４の長手方向Ｂの位置に設けられている。
ペン本体１０を使用しないときには、図１に示すように、キャップ３０で一端部１０ａを覆うことにより、ペンのインクが乾かないようにすると共にペン先１２を保護している。そして、ペン本体１０を使用するときには、図２に示すように、キャップ３０を外して他端部１０ｂに十分挿入して係合させることにより、キャップ３０をペン本体１０で保持して、キャップ３０の喪失を防ぐことができる。
【００１８】
ここで、キャップ３０とペン本体１０との取り付けについては、方向性を持たせている。すなわち、キャップ３０とペン本体１０とがある特定の位置関係でないと、キャップ３０をペン本体１０に係合保持させることができないように、キャップ３０の内面形状とペン本体１０の一端部１０ａおよび他端部１０ｂの外面形状とが形成されている。具体的に説明すると、図１および図２に示すように、キャップ３０がペン本体１０の一端部１０ａないしは他端部１０ｂに挿入する際には、切欠き部３２がインジケータ部２４側に位置するように行われる。言い換えると、ペン本体１０の使用が終了したときには、キャップ３０がペン本体１０の凹部１１ａに受け入れられる方向になるようにキャップ３０をペン本体１０の一端部１０ａに挿入して係合保持させる。また、ペン本体１０の使用をするときには、インジケータ部２４側に切欠き部３２が位置するように、ペン本体１０の一端部１０ａから外したキャップ３０を他端部１０ｂに挿入して係合保持させる。
【００１９】
キャップ３０は、図３に示すように、切欠き部３２においてキャップ本体３１の内面３１ｂに傾斜面（傾斜部）３３ａを設けてなる薄肉部（ストラップ通し部）３３を有する。この薄肉部３３の傾斜面３３ａは、切欠き部３２に向かって肉厚が薄くなるように、クリップ３４の長手方向である矢印Ｂの方向に延在している。
また、キャップ３０は、キャップ本体３１の内面３１ｂに取り付けられたマグネット（電子装置に対応する部品）３５を有する。このマグネット３５は、ペン本体１０の内部に設けられた図示しないスイッチ機構に対応するための部品である。すなわち、キャップ３０をペン本体１０から外すと、スイッチが入って電源が入り、ペン本体１０をキャップ３０につけると、スイッチが切れる。これにより、ユーザによる使用感を向上させることができると共に、スイッチの切り忘れによる不要な電力消費を抑えることができる。
【００２０】
また、マグネット３５は、キャップ３０の横断面におけるクリップ３４の反対側に位置している。したがって、キャップ３０をペン本体１０の他端部１０ｂに挿入する際に、ペン本体１０のストラップ用穴１９に取り付けたストラップ４０にマグネット３５が接触することを防ぐことが可能になる。すなわち、ストラップ４０としては、各種の素材により製造したものが世の中に存在し、金属部分を含むストラップも現実に販売使用されている。このため、電子装置に対応するマグネット３５は、なるべくストラップ４０に接触しないようにすることが好ましい。本実施の形態では、キャップ３０がペン本体１０の他端部１０ｂに挿入される際には、ストラップ４０が切欠き部３２にガイドされるので、マグネット３５がストラップ４０と接触する機会を減らすことが可能になる。
【００２１】
ここで、キャップ３０に形成された切欠き部３２の縁形状は、なだらかな曲線で構成された略山形であり、縁部３１ａから連続的な曲線で接続するように形成されている。キャップ３０がこのような切欠き部３２を有することから、ストラップ４０をストラップ用穴１９に取り付けた状態であっても、後述するように、キャップ３０をペン本体１０の他端部１０ｂに十分に挿入させることが可能になる。このような切欠き部３２による作用は、キャップ３０の薄肉部３３（図３参照）によってさらに増大する。これについても後述する。
【００２２】
また、切欠き部３２の縁形状を別の観点で見ると、ユーザによるペン本体１０の他端部１０ｂへのキャップ３０の挿入動作に連動して、ペン本体１０に取り付けられたストラップ４０をガイドする機能をキャップ３０に持たせている。
さらには、切欠き部３２の縁形状を別の観点で見ると、図３に示すように、切欠き部３２は、クリップ３４の挟持側端部３４ａが当接するキャップ本体３１の部分付近まで大きく切り欠かれている。したがって、クリップ３４で挟持させたい紙等をユーザがクリップ３４に挟持しようとするときには、切欠き部３２の縁形状によって、紙等をクリップ３４へガイドする機能をキャップ３０に持たせている。
さらにまた、切欠き部３２の縁形状を別の観点で見ると、図２に示すように、キャップ３０がペン本体１０に保持されるときには、クリップ３４の挟持側端部３４ａに隣接する部分までペン本体１０の外周面の一部が露出される。このため、キャップ３０をペン本体１０の他端部１０ｂに十分挿入させている状態であっても、ペン本体１０のインジケータ部２４を隠さず、ないしは、隠す部分を少なくする。したがって、キャップ３０をペン本体１０の他端部１０ｂに係合保持させた状態でも、ユーザは、インジケータ部２４が表示する内容を視認することができる。
【００２３】
図４は、ペン本体１０の構造を説明するための部分断面図である。ペン本体１０の外装ケース１１は、その内部に、ペン先１２から吐出するインクを蓄えるペン芯１３と、ペン先１２およびペン芯１３を介して伝わったユーザの筆圧を検出する筆圧センサ部１４とを備えている。また、例えばアノト（商標）社が提供しているドットパターンとペン先１２によって描かれた部分とを読み込む光学モジュール１５を備えている。さらに、ペン本体１０を充電するための電力の供給や、外部のコンピュータとの通信を行うための端子１６を備えている。この端子１６は、キャップ３０にペン本体１０が挿入された際にキャップ３０の端子と接続可能に構成されている。
【００２４】
また、ペン本体１０には、充電した後に放電することで、ペン本体１０の電力源となる例えばリチウムイオン電池からなる電池１７と、例えば電源をオンしたときに震えるバイブレータ１８とを備えている。さらに、ペン本体１０の内部には、各種集積回路や電子部品を搭載した基板２０が設けられている。この基板２０上には、光学モジュール１５が取り付けられるとともに、ペン本体１０の全体を制御するプロセッサ（情報処理手段、電子装置）２１と、光学モジュール１５により読み取られた情報(筆記された内容、位置情報等)を格納するメモリ２２と、例えばBluetooth（商標）などにより無線通信を行うための無線通信モジュール２３とを備えている。
【００２５】
図５は、ペン本体１０の他端部１０ｂにキャップ３０を保持した状態の縦断面図で、図６は、図５の線VI−VIによる断面図（横断面図）である。
図５および図６に示すように、キャップ３０に設けられた切欠き部３２および薄肉部３３により、ストラップ４０の紐状部材４１をキャップ３０とペン本体１０との間からキャップ３０の外に導くための空間Ｓが形成される。このため、ペン本体１０のストラップ用穴１９にストラップ４０が取り付けられている状態でペン本体１０の他端部１０ｂにキャップ３０を挿入する場合であっても、ストラップ４０の紐状部材４１が空間Ｓ内に位置し、ペン本体１０およびキャップ３０と干渉することを回避できる。このように、ストラップ等の影響を少なくすることができるので、キャップ３０をペン本体１０の他端部１０ｂに十分深く挿入することができ、キャップ３０の係合保持をより確実に行うことができる。
【００２６】
ここで、キャップ３０に切欠き部３２を設けることにより、ペン本体１０とキャップ３０との接触距離が短くなるが、切欠き部３２は、部分的に形成されているため、キャップ３０がペン本体１０の他端部１０ｂに保持するための保持力を十分に確保することが可能である。さらに説明すると、ペン本体１０の他端部１０ｂに挿入されたキャップ３０は、切欠き部３２によって外方にたわみやすくなり、ペン本体１０とキャップ３０との接触面積が増えることによって、より強固に保持することが可能になる。すなわち、キャップ３０の切欠き部３２は、スリット的な機能を果たすものである。
また、本実施の形態では、キャップ３０に切欠き部３２のほかに薄肉部３３をも形成している。これは、切欠き部３２によってストラップ４０の紐状部材４１が容易に逃げやすい構造にしているが、この切欠き部３２だけでは不十分な場合も考えられ、その場合の解決手段として薄肉部３３が有用である。また、薄肉部３３のみでストラップ４０の紐状部材４１の逃げ道を形成することが有利な場合も考えられる。
【００２７】
このように、本実施の形態では、キャップ３０をペン本体１０の他端部１０ｂに挿入した際、ストラップ４０等の影響が少なくなるようにキャップ３０に切欠き部３２を形成し、また、キャップ３０の肉厚を部分的に薄くした薄肉部３３を形成することで、ペン本体１０とキャップ３０との接触距離を短くすることにより、ペン本体１０の他端部１０ｂに取り付けたストラップ４０等に影響されることなく、キャップ３０をペン本体１０の他端部１０ｂへの容易かつ十分な挿入を可能としている。
また、キャップ３０の切欠き部３２により、ストラップ４０の紐状部材４１が短い場合で、かつ紐状部材４１にアクセサリとしての図示しない小物品が取り付けられている場合であっても、図示しない小物品がキャップ３０とペン本体１０との間に位置することを回避することができ、図示しない小物品をキャップ３０の外部に位置させることが可能になる。
なお、本実施の形態では、インジケータ部２４をペン本体１０に設けているが、インジケータ部２４がない構成も考えられる。
【００２８】
図７は、別の実施の形態におけるペン本体１０の他端部１０ｂにキャップ３０を保持した状態の横断面図であり、図５の線VI−VIによる断面図の図６に対応する図面である。
図７に示すように、この実施の形態では、キャップ３０に切欠き部３２および薄肉部３３を形成する代わりに、ストラップ通し部としての溝部２５をペン本体１０のインジケータ部２４の側に形成している。この溝部２５は、ペン本体１０の一端部１０ａと他端部１０ｂとを結ぶ方向、すなわち、ペン本体１０の長手方向Ａ（図１又は図２参照。図７における紙面垂直方向）に延びている。ペン本体１０に設けられた溝部２５により、ストラップ４０の紐状部材４１をキャップ３０とペン本体１０との間からキャップ３０の外に導くための空間が形成される。この空間内にストラップ４０の紐状部材４１を通すことによって、ストラップの影響等を少なくしてキャップ３０をペン本体１０の他端部１０ｂに十分挿入することができるようになる。
当然ながら、キャップ３０に切欠き部３２および薄肉部３３を形成すると共に（図６参照）、ペン本体１０に溝部２５を形成すること（図７参照）も考えられる。なお、切欠き部３２および薄肉部３３を形成する構造（図６参照）のほうが、溝部２５のみを形成する構造（図７参照）よりも、ユーザの使用感が向上すると考えられる。すなわち、ユーザがストラップ４０等をペン本体１０の溝部２５に合わせるのに手間がかかることが予想されるからである。
【図面の簡単な説明】
【００２９】
【図１】本実施の形態に係るペン型入力装置の全体構成を示す斜視図である。
【図２】本実施の形態に係るペン型入力装置の全体構成を示す斜視図である。
【図３】キャップの縦断面図である。
【図４】ペン本体の縦断面図である。
【図５】キャップを保持したペン本体の縦断面図である。
【図６】キャップを保持したペン本体の横断面図である。
【図７】別の実施の形態におけるキャップを保持したペン本体の横断面図である。
【符号の説明】
【００３０】
１０…ペン本体、１０ａ…一端部、１０ｂ…他端部、１２…ペン先、１９…ストラップ用穴、２４…インジケータ部、２５…溝部、３０…キャップ、３１…キャップ本体、３１ａ…縁部、３２…切欠き部、３３…薄肉部、３３ａ…傾斜面、３４…クリップ、３５…マグネット、４０…ストラップ
【図１】
2006256243.tif 000003
【図２】
2006256243.tif 000004
【図３】
2006256243.tif 000005
【図４】
2006256243.tif 000006
【図５】
2006256243.tif 000007
【図６】
2006256243.tif 000008
【図７】
2006256243.tif 000009